(57)【要約】【課題】  セルラー、ブルートゥース、ＷｉＦｉ、およびサテライトシステムの共存のためのデバイス内干渉軽減の方法を提供する。【解決手段】  （ａ）第１の無線モジュールによって、制御エンティティから通知を受け、前記制御エンティティは、前記第１の無線モジュールと同一場所に配置された第２の無線モジュールの重要なシグナリングの状態を通知するステップ、および（ｂ）一定時間、アップリンク伝送を停止し、基地局によって授権されたアップリンク伝送機会を無視するステップを含む方法。【選択図】図９
2013539619.tif 000002
【特許請求の範囲】
【請求項１】
（ａ）第１の無線モジュールによって、制御エンティティから通知を受け、前記制御エンティティは、前記第１の無線モジュールと同一場所に配置された第２の無線モジュールの重要なシグナリングの状態を通知するステップ、および
（ｂ）一定時間、アップリンク伝送を停止し、基地局によって授権されたアップリンク伝送機会を無視するステップを含む方法。
【請求項２】
（ｃ）前記第１の無線モジュールから前記基地局に共存インジケータを伝送するステップと更に含む請求項１に記載の方法。
【請求項３】
前記共存インジケータは、無線リソース制御（ＲＲＣ）シグナリングメッセージまたは媒体アクセス制御（ＭＡＣ）制御素子（ＣＥ）によって伝送される請求項２に記載の方法。
【請求項４】
前記制御エンティティから第２の通知を受け、前記制御エンティティは、前記第２の無線モジュールの重要なシグナリングの完了状態を通知するステップ、および
アップリンク伝送を再開するステップを更に含む請求項１に記載の方法。
【請求項５】
前記第２の無線モジュールからの共存再開インジケータを前記基地局に伝送するステップを更に含む請求項４に記載の方法。
【請求項６】
前記第２の無線モジュールは、ブルートゥースモジュールであり、前記重要なシグナリングは、初期の接続設定の手順の一部である請求項１に記載の方法。
【請求項７】
前記第２の無線モジュールは、ブルートゥースモジュールであり、前記重要なシグナリングは、適応型周波数ホッピング（ＡＦＨ）設定手順である請求項１に記載の方法。
【請求項８】
前記第２の無線モジュールは、前記第２の無線モジュールの周波数距離から前記第１の無線モジュールまでの周波数距離までの周波数距離に基づいた伝送電力レベルを調整する請求項１に記載の方法。
【請求項９】
前記第２の無線モジュールは、伝送失敗数に基づいて伝送電力レベルを調整する請求項１に記載の方法。
【請求項１０】
（ａ）基地局によって無線デバイスから共存インジケータを受け、前記共存インジケータは、前記無線デバイスが前記基地局によって授権されたアップリンク伝送機会を無視し、アップリンク伝送を停止することを通知するステップ、および
（ｂ）前記共存インジケータに応じてアップリンク測定機能を正常でない状態に構成するステップを含む方法。
【請求項１１】
（ｃ）前記無線デバイスから共存再開インジケータを受信し、前記基地局は、前記アップリンク測定機能を正常な状態に戻すように構成するステップを更に含む請求項１０に記載の方法。
【請求項１２】
前記アップリンク測定機能は、ハイブリッド自動再送要求（ＨＡＲＱ）機能を含み、前記基地局は、（ｂ）のＨＡＲＱ再伝送カウンタを停止、またはリセットする請求項１０に記載の方法。
【請求項１３】
前記アップリンク測定機能は、アップリンク信号測定機能を含み、前記基地局は、（ｂ）のアップリンク測定結果を無視する請求項１０に記載の方法。
【請求項１４】
前記アップリンク測定機能は、ドライブ試験の省力化（ＭＤＴ）機能を含み、前記基地局は、（ｂ）のＭＤＴのためのアップリンク測定結果のロギングを停止する請求項１０に記載の方法。
【請求項１５】
前記共存インジケータは、無線リソース制御（ＲＲＣ）シグナリングメッセージまたは媒体アクセス制御（ＭＡＣ）制御素子（ＣＥ）によって受けられる請求項１０に記載の方法。
【請求項１６】
第１の無線モジュール、
前記第１の無線モジュールと同一場所に配置された第２の無線モジュール、および
前記第１の無線モジュールに通知を送信し、前記通知は、前記第１の無線モジュールに前記第２の無線モジュールの重要なシグナリング状態を通知し、前記第１無線モジュールは、前記通知に応じて、基地局によって授権されたアップリンク伝送機会を無視し、アップリンク伝送を停止する制御エンティティを含む無線デバイス。
【請求項１７】
前記第１の無線モジュールは、前記基地局に共存インジケータを伝送する請求項１６に記載のデバイス。
【請求項１８】
前記共存インジケータは、無線リソース制御（ＲＲＣ）シグナリングメッセージまたは媒体アクセス制御（ＭＡＣ）制御素子（ＣＥ）によって伝送される請求項１７に記載のデバイス。
【請求項１９】
前記制御エンティティは、第２の通知を前記第１の無線モジュールに伝送し、前記第２の無線モジュールの重要なシグナリングの完了状態を通知し、前記第１の無線モジュールは、前記第２の通知に応じてアップリンク伝送を再開する請求項１６に記載のデバイス。
【請求項２０】
前記第１の無線モジュールは、共存再開インジケータを前記基地局に伝送する請求項１９に記載のデバイス。
【請求項２１】
前記第２の無線モジュールは、ブルートゥースモジュールであり、前記重要なシグナリングは、初期の接続設定の手順の一部である請求項１６に記載のデバイス。
【請求項２２】
前記第２の無線モジュールは、ブルートゥースモジュールであり、前記重要なシグナリングは、適応型周波数ホッピング（ＡＦＨ）シグナリング手順である請求項１６に記載のデバイス。
【請求項２３】
前記第２の無線モジュールは、前記第２の無線モジュールの周波数距離から前記第１の無線モジュールまでの周波数距離までの周波数距離に基づいた伝送電力レベルを調整する請求項１６に記載のデバイス。
【請求項２４】
前記第２の無線モジュールは、伝送失敗数に基づいて伝送電力レベルを調整する請求項１６に記載のデバイス。
【発明の詳細な説明】
【技術分野】
【０００１】
本出願は、３５Ｕ.Ｓ.Ｃ.§１１９の下、２０１０年８月１２日に出願された米国特許仮出願番号第６１／３７３１４２号「Method to Trigger In-Device Coexistence Interference Mitigation in Mobile Cellular Systems」、２０１０年８月１２日に出願された米国特許仮出願番号第６１／３７３１５１号「Method of In-Device Interference Mitigation for Cellular, Bluetooth, WiFi and Satellite Systems Coexistence」、２０１０年８月１６日に出願された米国特許仮出願番号第６１／３７４０４６号「Method of In-Device Interference Mitigation for Wireless Systems」、２０１０年８月１６日に出願された米国特許仮出願番号第６１／３７４０５２号「Method of In-Device Interference Avoidance for wireless Systems」、からの優先権を主張するものであり、これらの全ては引用によって本願に援用される。
【０００２】
本発明は、無線ネットワーク通信に関し、特に、ロングタームエボリューショントランシーバ、ＷｉＦｉトランシーバ、ＢＴトランシーバ、またはＧＮＳＳトランシーバを含む多重無線端末（Ｍｕｌｔｉ−Ｒａｄｉｏ Ｔｅｒｍｉｎａｌｓ； ＭＲＴ）に関するものである。
【背景技術】
【０００３】
ユビキタスネットワークのアクセスは今日、ほぼ実現されている。ネットワークインフラの観点からみると、異なるネットワークは、異なる層（例えば、分布層、セルラー層、ホットスポット層、パーソナルネットワーク層、および固定／配線層）に属し、異なるレベルの被覆領域（ｃｏｖｅｒａｇｅ）および接続性を提供する。特定のネットワークの被覆領域は、どこでも使用可能ではないため、且つ異なるネットワークは、異なるサービス用に最適化される可能性もあるため、ユーザーデバイスが同じデバイスプラットフォーム上で複数の無線アクセスネットワークをサポートすることが望ましい。無線通信の需要の増加に伴い、例えば、携帯電話、携帯情報端末（ＰＤＡ）、スマートハンドヘルドデバイス、ラップトップコンピュータ、タブレットコンピュータなどの無線通信デバイスは、ますます複数の無線トランシーバが備えられている。多重無線端末（ＭＲＴ）は、ロングタームエボリューション（ＬＴＥ）またはＬＴＥ−Ａｄｖａｎｃｅｄ（ＬＴＥ−Ａ）無線、ワイヤレスローカルエリアネットワーク（ＷＬＡＮ、例えばＷｉＦｉ）アクセス無線、ブルートゥース（ＢＴ）無線、および全地球的航法衛星システム（ＧＮＳＳ）無線を同時に含んでもよい。
【０００４】
スペクトル規制により、異なる技術は、重複または隣接した無線スペクトルで動作されることができる。例えば、ＬＴＥ／ＬＴＥ−Ａ ＴＤＤモードは、通常２.３〜２.４ＧＨｚで動作し、ＷｉＦｉは、通常２.４００〜２.４８３５ＧＨｚで動作し、ＢＴは、通常２.４０２〜２.４８０ＧＨｚで動作する。同じ物理デバイス上で同一場所に配置された（ｃｏ−ｌｏｃａｔｅｄ）複数の無線の同時動作は、それゆえ、重複または隣接した無線スペクトルにより、複数の無線間の著しい共存干渉（ｃｏｅｘｉｓｔｅｎｃｅ ｉｎｔｅｒｆｅｒｅｎｃｅ）を含む著しい低下を招く。物理的近接および無線漏洩（ｒａｄｉｏ ｐｏｗｅｒ ｌｅａｋａｇｅ）により、時間領域上で第１の無線トランシーバ用のデータ送信が第２の無線トランシーバ用のデータ受信と重なる時、第２の無線トランシーバの受信は、第１の無線トランシーバの送信から干渉を受ける可能性がある。同様に、第２の無線トランシーバのデータ送信は、第１の無線トランシーバの受信で干渉を受ける可能性がある。
【０００５】
図１（従来技術）は、ＬＴＥトランシーバおよび同一場所に配置されたＷｉＦｉ／ＢＴトランシーバとＧＮＳＳレシーバとの間の干渉を表している図である。図１の例では、ユーザ端末（ＵＥ）１０は、同じデバイスプラットフォーム上で同一場所に配置されたＬＴＥトランシーバ１１、ＧＮＳＳレシーバ１２、およびＢＴ／ＷｉＦｉトランシーバ１３を含むＭＲＴである。ＬＴＥトランシーバ１１は、アンテナ＃１に接続されたＬＴＥベースバンドモジュールおよびＬＴＥ ＲＦモジュールを含む。ＧＮＳＳレシーバ１２は、アンテナ＃２に接続されたＧＮＳＳベースバンドモジュールおよびＧＮＳＳ ＲＦモジュールを含む。ＢＴ／ＷｉＦｉトランシーバ１３は、アンテナ＃３に接続されたＢＴ／ＷｉＦｉベースバンドモジュールおよびＢＴ／ＷｉＦｉ ＲＦモジュールを含む。ＬＴＥトランシーバ１１が無線信号を送信した時、ＧＮＳＳレシーバ１２およびＢＴ／ＷｉＦｉトランシーバ１３の両方は、ＬＴＥからの共存干渉を受ける可能性がある。同様にＢＴ／ＷｉＦｉトランシーバ１３が無線信号を送信した時、ＧＮＳＳレシーバ１２およびＬＴＥトランシーバ１１の両方は、ＢＴ／ＷｉＦｉからの共存干渉を受ける可能性がある。ＵＥ１０が共存干渉を異なるトランシーバによって複数のネットワークと同時に通信し、共存干渉を防止／減少することができるかが困難な問題である。
【０００６】
図２（従来技術）は、２つの同一場所に配置されたＲＦトランシーバからの無線信号の信号電力を表している図である。図２の例では、トランシーバＡおよびトランシーバＢは、同じデバイスプラットフォーム上で同一場所に配置される。周波数領域では、トランシーバＡ（例えば、ＩＳＭチャネル１にあるＷｉＦｉ ＴＸ）での送信（ＴＸ）信号は、トランシーバＢ用の受信（ＲＸ）信号（例えば、バンド４０のＬＴＥ ＲＸ）に非常に近い。トランシーバＡの不完全なＴＸフィルタおよびＲＦ設計によって生じる帯域外（ｏｕｔ ｏｆ ｂａｎｄ； ＯＯＢ）発射（emission）およびスプリアス発射は、トランシーバＢに受け入れられない可能性がある。例えば、フィルタリング後（例えば、５０ｄＢ仰制後）でも、トランシーバＡでのＴＸ信号電力レベルは、トランシーバＢ用のＲＸ信号電力レベルより、まだ高い可能性がある。
【０００７】
不完全なＴＸフィルタおよびＲＦ設計の他、不完全なＲＸフィルタおよびＲＦ設計は、受け入れられないデバイス内の共存干渉も生じさせる可能性がある。例えば、いくつかのＲＦコンポーネントは、もう１つのデバイス内のトランシーバから電力を伝送するため、飽和状態になる可能性があるが、完全にフィルタされることができず、低雑音増幅器（ＬＮＡ）を飽和させ、アナログデジタルコンバータを正常に動作させることができなくなる。このような問題は、ＴＸチャネルとＲＸチャネル間の周波数間隔がどの程度あるかに関わらず、実際に存在する。これは、特定のレベルのＴＸ電力（例えば、高調波ＴＸ信号からの）がＲＸ ＲＦフロントエンドに接合され、そのＬＮＡを飽和させる可能性があるからである。レシーバの設計がこのような共存干渉を考慮しなければ、ＬＮＡは、全く適応されず、共存干渉が取り除かれる（例えば、干渉源をオフにすることによって）まで飽和状態を保持する可能性がある。
【０００８】
各種のデバイス内共存（ＩＤＣ）干渉軽減の解決法が提示されている。ＩＳＭバンド信号をＬＴＥ認可された（ｌｉｃｅｎｓｅｄ）バンドからＩＳＭバンド信号を取り除くことは、１つの可能なＩＤＣの解決法の１つである。例えば、デバイス内ＢＴモジュールは、適応型周波数ホッピング（ａｄａｐｔｉｖｅ ｆｒｅｑｕｅｎｃｙ ｈｏｐｐｉｎｇ； ＡＦＨ）を用いて周波数ホッピング範囲を調整する。デバイス内ＷｉＦｉモジュールは、ＬＴＥバンドから更に離れたもう１つの周波数チャネルで動作する、他のＷｉＦｉアクセスポイント（ＡＰ）を選んでもよい。しかしながら、これらの解決法は、ＢＴモジュールが初期の接続設定を正常に完了することができない限り、またはＷｉＦｉモジュールが他のＷｉＦｉ ＡＰからＷｉＦｉビーコンを正常にスキャンすることができない限り、適切に動作することができない。更なる解決法は、ＢＴ／ＷｉＦｉの接続設定または他の重要なシグナリング手順の保護を求める。
【発明の概要】
【発明が解決しようとする課題】
【０００９】
共存干渉軽減の方法が提供される。無線ネットワークでは、無線デバイスは、同じデバイスプラットフォーム上で複数の無線を備えている。無線デバイスは、複数の同一場所に配置された無線モジュールと通信する制御エンティティも有する。第１の無線モジュールは、制御エンティティから通知を受ける。前記の通知は、第１の無線モジュールと同一場所に配置された第２の無線モジュールの重要なシグナリング状態を通知する。通知を受けて、第１の無線モジュールは、共存干渉により、アップリンク伝送を停止する。第１の無線モジュールは、サービングｅＮＢによって授権されたアップリンク伝送機会もフォローせず、共存インジケータをｅＮＢに伝送する。一定時間後、第１の無線モジュールは、第２の無線モジュールの重要なシグナリングの完了状態を通知する第２の通知を受ける。第２の通知を受けて、第１の無線モジュールは、アップリンク伝送を再開し、共存再開インジケータをｅＮＢに送信する。
【課題を解決するための手段】
【００１０】
１つの実施形態では、第１の無線モジュールは、ＬＴＥ／ＷｉＭＡＸ無線であり、第２の無線モジュールは、ＢＴ／ＷｉＦｉである。重要なシグナリングは、ＢＴ／ＷｉＦｉ無線によって初期の接続設定または他の重要な手順中に、伝送または受信された問い合わせまたはページングの要求／応答信号を含む。重要なシグナリングの状態を知った後、ＬＴＥ／ＷｉＭＡＸ無線は、手順が完了するまで一定時間、アップリンク伝送を自動的に停止する。ＬＴＥアップリンク伝送機会を自動的に拒否することで、共存干渉は、初期の接続設定が回避され、ＢＴ／ＷｉＦｉデバイスの初期の接続設定または他の重要な手順が保護される。また、ｅＮＢがＬＴＥ拒否の挙動を通知する共存インジケータを受けるため、ＬＴＥ否定の特定の時間内に、誤警報を送信する、または不要な機能をトリガすることからｅＮＢを防ぐ。
【００１１】
他の実施形態及びそれらの利点が以下に詳細に説明される。この概要は、説明を限定するものではない。本発明は請求項によって限定される。
【図面の簡単な説明】
【００１２】
添付の図面は、本発明の実施の形態を説明しており、同様の番号は同様の構成要素を示している。
【図１】ＬＴＥトランシーバおよび同一場所に配置されたＷｉＦｉ／ＢＴトランシーバとＧＮＳＳレシーバとの間の干渉を表している図である（従来技術）。
【図２】２つの同一場所に配置されたＲＦトランシーバからの無線信号の信号電力を表している図である（従来技術）。
【図３】１つの新しい態様に基づく無線通信システムの多重無線トランシーバを有するユーザ端末を表している。
【図４】中央制御エンティティ（ｅｎｔｉｔｙ）を有する無線デバイスの簡略ブロック図である。
【図５】１つの新しい態様に基づいたＩＤＣ干渉防止のためのＵＥの自動解決法の１つの実施形態を表している。
【図６】ＩＤＣ干渉防止のためのＵＥの自動ＬＴＥ拒否の詳細なプロセスの流れを表している。
【図７】ＢＴの初期の接続設定後の適応型周波数ホッピングを表している。
【図８】ＢＴの初期の接続設定後の電力管理ソリューションを表している。
【図９】１つの新しい態様に基づいたＵＥの観点からのＩＤＣ干渉防止のための自動ＬＴＥ拒否の方法のフローチャートである。
【図１０】１つの新しい態様に基づいたｅＮＢの観点からのＩＤＣ干渉防止のための自動ＬＴＥ拒否の方法のフローチャートである。
【発明を実施するための形態】
【００１３】
本発明の実施態様について詳細に述べる。その例は添付図面に示されている。
【００１４】
図３は、１つの新しい態様に基づく無線通信システム３０の多重無線トランシーバを有するユーザ端末ＵＥ３１を表している。無線通信システム３０は、ユーザ端末ＵＥ３１、サービング基地局（例えば発展型ノードＢ）ｅＮＢ３２、ＷｉＦｉアクセスポイントＷｉＦｉ ＡＰ３３、ブルートゥースデバイスＢＴ３４、およびグローバルポジショニングシステムサテライトデバイスＧＰＳ３５を含む。無線通信システム３０は、異なる無線アクセス技術によって、ＵＥ３１用の各種ネットワークアクセスサービスを提供する。例えば、ｅＮＢ３２は、ＯＦＤＭＡベースのセルラー無線ネットワーク（例えば３ＧＰＰロングタームエボリューション（ＬＴＥ）またはＬＴＥ−Ａｄｖａｎｃｅｄ（ＬＴＥ−Ａ）システム）アクセスを提供し、ＷｉＦｉ ＡＰ３３は、ワイヤレスローカルエリアネットワーク（ＷＬＡＮ）アクセスでローカル被覆領域（ｌｏｃａｌ ｃｏｖｅｒａｇｅ）を提供し、ＢＴ３４は、近距離パーソナルネットワーク通信を提供し、且つＧＰＳ３５は、全地球的航法衛星システム（ＧＮＳＳ）の一部としてグローバルアクセスを提供する。各種の無線ネットワークにアクセスするために、ＵＥ３１は、同じデバイスプラットフォーム上（即ち、デバイス内）で共存／同一場所に配置された複数の無線を備えた多重無線端末（ＭＲＴ）である。
【００１５】
スペクトル規制により、異なる無線アクセス技術は、重複または隣接した無線スペクトルで動作されることができる。図３に表されるように、ＵＥ３１は、無線信号３６をｅＮＢ３２と通信し、無線信号３７をＷｉＦｉ ＡＰ３３と通信し、無線信号３８をＢＴ３４と通信し、且つ無線信号３９をＧＰＳ３５から受信する。無線信号３６は、３ＧＰＰバンド４０に属し、無線信号３７は、ＷｉＦｉチャネルの１つに属し、無線信号３８は、７９のブルートゥースチャネルの１つに属する。全てのこれらの無線信号の周波数は、２.３ＧＨｚ〜２.５ＧＨｚの範囲内に降下し、互いに大きなデバイス内共存（ＩＤＣ）干渉を招く可能性がある。問題は、２.４ＧＨｚ ＩＳＭ（産業、科学、医療機器）の無線周波数帯あたりがより深刻である。１つの新しい態様では、ＵＥ３１は、自動ＬＴＥ拒否を行い、ＢＴ／ＷｉＦｉの初期の接続設定および他の重要なシグナリング手順を保護し、デバイス内ＢＴ／ＷｉＦｉ無線が各種のＩＤＣ干渉軽減の解決法を用いることができる。ＵＥの自動ＬＴＥ拒否の解決法は、例えば、ＵＥ内の多重無線と通信する中央制御エンティティなどの内部デバイスの協調を必要とする。
【００１６】
図４は、中央制御エンティティを有し、ＵＥの自動ＬＴＥ拒否を促進する無線デバイス４１の簡略ブロック図である。無線デバイス４１は、メモリ４４、中央制御エンティティ４６を有するプロセッサ４５、ＬＴＥ／ＷｉＭＡＸトランシーバ４７、ＷｉＦｉトランシーバ４８、ブルートゥーストランシーバ４９、およびバス１０５を含む。図８の例では、中央制御エンティティ４６は、プロセッサ４５内に物理的に実装される論理エンティティであり、デバイス４１用のデバイスアプリケーション処理にも用いられる。または、中央制御エンティティ４６は、ＬＴＥ／ＷｉＭＡＸトランシーバ、ＷｉＦｉトランシーバ、またはＢＴトランシーバ内に物理的に配置されるプロセッサ内に実装される論理エンティティである。中央制御エンティティ４６は、デバイス４１内の各種のトランシーバに接続され、バス１０５を介して各種のトランシーバと通信する。例えば、ＢＴトランシーバ４９は、ＢＴ信号情報および／またはＢＴトラフィック、およびスケジューリング情報を中央制御エンティティ４６（例えば、点線１０１によって表される）に伝送する。受けたＢＴ情報に基づいて、中央制御エンティティ４６は、制御情報を確定し、制御情報をＬＴＥ／ＷｉＭＡＸトランシーバ４７（例えば、点線１０２によって表される）に伝送する。１つの実施形態では、ＢＴトランシーバ４９は、その同等のＢＴデバイス４３（例えば、点線１０３によって表される）と初期の接続設定を行う。ＬＴＥ／ＷｉＭＡＸトランシーバ４７は、制御エンティティ４６によってＢＴの動作を知り、自動ＬＴＥ拒否を行い、初期の接続設定の手順を保護する。ＬＴＥ／ＷｉＭＡＸトランシーバ４７は、そのサービング基地局ｅＮＢ４２と更に通信し、一定時間Ｔｘにその使用不可状態を示し（例えば、点線１０４によって表される）、ｅＮＢの誤警報を防止する。
【００１７】
図５は、無線ネットワーク５０のＩＤＣ干渉防止のためのＵＥの自動ＬＴＥ拒否の解決法の１つの実施形態を表している。無線ネットワーク５０は、基地局ｅＮＢ５１、ＢＴデバイス５２、およびユーザ端末ＵＥ５３を含む。ＵＥ５３は、ＬＴＥ／ＷｉＭＡＸ無線モジュール（例えば、トランシーバ）５４、ＢＴ無線モジュール（例えば、トランシーバ）５５、および制御エンティティ５６を含む。ＬＴＥ／ＷｉＭＡＸ信号がＬＴＥ／ＷｉＭＡＸトランシーバ５４によって、ＩＳＭバンドの近傍に伝送された時、帯域外発射は、同じデバイスプラットフォーム上に配置されたＢＴトランシーバ５５にとって受け入れられない干渉のレベルとなる可能性がある。ＢＴの初期の接続設定中、ＢＴ無線モジュール５５は、問い合わせ信号（ｉｎｑｕｉｒｙ）またはページング信号（例えば重要な（ｃｒｉｔｉｃａｌ）信号）をその同等のＢＴデバイス５２に送信／から受信する。信号は、全てのＲＦチャネルによって周波数ホッピング方式で送信される。共存干渉は、同一場所に配置されたＢＴトランシーバ５５が問い合わせ／ページング信号を受信できなくなるか、またはその同等のＢＴデバイスから応答を受信できなくなり、特に、信号がＲＦチャネルによってＩＳＭバンド端の近傍に伝送された時、受信できなくなる。
【００１８】
図５の下半分に表されるように、無線信号５７は、初期の接続設定用に、ＢＴデバイス５２から伝送され、且つＢＴ無線モジュール５５によって受信された重要な信号（例えば、問い合わせ／ページング信号）である。同時に、無線信号５８は、ＩＳＭバンド端に非常に近い周波数の位置でＬＴＥ／ＷｉＭＡＸ無線モジュール５４によって伝送される。ＢＴ信号が初期の接続設定の段階でＩＳＭバンド端にホッピングすることは、避けられない。ＢＴ信号がＩＳＭバンド端にホッピングした時、重要なＢＴ信号５７は、ＬＴＥ／ＷｉＭＡＸ信号５８（領域５９によって表されるように）によって干渉され、初期の接続設定の失敗（ｆａｉｌｕｒｅ）となる可能性がある。ＢＴが初期の接続設定を完了できない場合、ＢＴは他の干渉回避機構、例えば、周波数ホッピング範囲を減少するように更に交渉して、ＢＴ信号をＬＴＥ／ＷｉＭＡＸ信号（例えば、現存する適応型周波数ホッピング（ＡＦＨ）機構を介して）から更に離すなどを行うことができなくなる。よって、全体的な干渉回避機構は、ＢＴが初期の接続設定を正常に完了できない限り、動作することができない。
【００１９】
１つの新しい態様では、ＵＥ５３は、自動ＬＴＥ拒否を行い、ＢＴ（またはＷｉＦｉ、ＧＮＳＳ）の初期の接続設定手順または他の重要なシグナリングを保護する。ＵＥの自動ＬＴＥ拒否を促進するために、ＵＥ５３内に備えられた制御エンティティ５６は、ＢＴ／ＷｉＦｉ／ＧＮＳＳの動作状態を知り、ＢＴ／ＷｉＦｉ／ＧＮＳＳが初期の接続設定手順または他の重要なシグナリングを行う場合、ＬＴＥトランシーバに信号を伝送するのを停止するように指示する。図５の上半分に示されるように、まず、制御エンティティは、ＢＴ無線モジュールが初期の接続設定（例えば、問い合わせまたはページング手順）を行おうとしていることを知る（ステップ１）。次いで制御エンティティは、この情報をＬＴＥ／ＷｉＭＡＸ無線モジュールに通知し、ＬＴＥ／ＷｉＭＡＸに一定時間、信号を伝送しないように支持する（ステップ２）。制御エンティティからの指示に基づくと、ＬＴＥ／ＷｉＭＡＸ無線モジュールは、ｅＮＢ５１によって授権されたアップリンク伝送機会をフォロー（ｆｏｌｌｏｗ）しなくなり、一定時間、アップリンク伝送を停止する（例えば、ＬＴＥ伝送機会のＵＥの自動拒否）（ステップ３）。最後に、ＬＴＥ／ＷｉＭＡＸ無線モジュールは、共存インジケータをｅＮＢ５１に伝送し、ｅＮＢ５１にＵＥが意図的にアップリンク伝送をスキップし、ｅＮＢ５１が誤警報を伝送することから保護することを通知する（例えば、ＨＡＲＱ失敗）（ステップ４）。図５の下半分を再度参照すると、ＢＴ ＲＸ信号５７は、ＬＴＥ拒否機構により、ＬＴＥ／ＷｉＭＡＸ Ｔｘ信号５８によって干渉されない（例えば、信号５８は、破線によって表される）。結果、ＬＴＥ／ＷｉＭＡＸからの共存干渉は、一定時間回避され、ＢＴが初期の接続設定を完了するのを助ける。
【００２０】
図６は、無線ネットワーク６０のＩＤＣ干渉の防止のためのＵＥの自動ＬＴＥ拒否の解決法のより詳細なプロセスの流れを表している。無線ネットワーク６０は、ｅＮＢ６１、ＢＴデバイス６２、およびＵＥ６３を含む。ＵＥ６３は、ＬＴＥ／ＷｉＭＡＸ無線６４、ＢＴ無線６５、および制御エンティティ６６を含む多重無線端末である。ステップ６０１では、ＢＴ無線６５は、その初期の接続設定または他の重要な手順の状態を制御エンティティ６６に通知する。ステップ６０２では、制御エンティティ６６は、前記の通知をＬＴＥ／ＷｉＭＡＸ無線６４に転送する。制御エンティティ６６は、ＬＴＥ／ＷｉＭＡＸ無線６４が一定時間、信号を伝送しないように指示することもできる。受信した通知または指示に基づいて、ＵＥ６３は、アップリンク伝送を停止し、ｅＮＢ６１によって授権されたアップリンク伝送機会をスキップする（ステップ６０４）。選択的に、ステップ６０３では、ＵＥ６３は、共存インジケータをｅＮＢ６１に送信する。共存インジケータは、ｅＮＢ６１にＵＥ６３が共存干渉により、一定時間、アップリンク伝送をスキップすることを通知する。共存インジケータに応じて、ｅＮＢ６１は、特定のアップリンク測定機能を正常でない状態の中に構成する。アップリンク測定機能は、ＨＡＲＱ機能およびアップリンク信号品質測定の機能を含むことができる。例えば、ｅＮＢ６１は、ＨＡＲＱ再伝送カウンタまたは他の関連のカウンタを凍結またはリセットする（ステップ６０５）。他の例では、ｅＮＢ６１は、ＵＥ６３から伝送されたアップリンク信号品質測定の結果をスキップし、アップリンク信号品質測定の結果に基づいた他の機能（例えば共存干渉軽減の解決法）を触発しない（ステップ６０６）。これらのアップリンク測定機能を正常でない状態の中に構成することは、ＵＥ６３によるＬＴＥ拒否の特定の期間中、誤警報を送信することから、または不必要な機能を触発することからｅＮＢ６１を保護する。
【００２１】
ＢＴ無線６５では、ステップ６０１で通知を送信した後、ステップ６０７のその同等のＢＴデバイス６２と初期の接続設定の手順を開始する。初期の接続設定中、ＢＴデバイス６２は、問い合わせまたはページング信号を送信することができ、同時にＢＴ無線６５は、問い合わせまたはページング信号に応答することができる。初期の接続設定を正常に完了した後、ステップ６０８では、ＢＴ６５とＢＴ６２は、適応型周波数ホッピング（ＡＦＨ）交渉を行い続けることができる。ＡＦＨ手順中、同等のＢＴデバイスは、周波数ホッピング範囲を減少するように互いに更に交渉し、ＢＴ信号がＬＴＥ／ＷｉＭＡＸ信号から更に離されて、共存干渉を回避する。ＬＴＥ／ＷｉＭＡＸ側からのこのような保護を有することで、現有のＢＴの初期の接続設定およびＡＦＨ手順は、修正することなく、直接再使用され、ＢＴ側からのＩＤＣ干渉回避を行うことができる。
【００２２】
初期の接続設定およびＡＦＨ手順の完了後、ＢＴ無線６５は、その初期の接続設定または他の重要な手順の完了状態を制御エンティティ６６に通知する（ステップ６０９）。ステップ６１０では、制御エンティティ６６は、前記の通知をＬＴＥ／ＷｉＭＡＸ無線６４に転送する。受信した通知に基づいて、ステップ６１２では、ＵＥ６３は、アップリンク伝送を再開する。選択的に、ステップ６１１では、ＵＥ６３は、共存再開インジケータをｅＮＢ６１に送信する。共存再開インジケータは、ｅＮＢ６１にＵＥ６３が正常なアップリンク伝送を再開することを通知する。共存再開インジケータに応じて、ｅＮＢ６１は、特定のアップリンク測定機能を正常な状態に戻すように構成する。例えば、ステップ６１３では、ｅＮＢ６１は、ＨＡＲＱ再伝送カウンタまたは他の関連のカウンタを再開する。他の例では、ｅＮＢ６１は、ステップ６１４で、アップリンク信号品質測定の機能を再開する。アップリンク信号品質測定の機能を再開後、ｅＮＢ６１は、ＵＥ６３から報告されたアップリンク信号測定の結果に基づいて、干渉軽減の機構を触発することができる。
【００２３】
図７は、ＢＴの初期の接続設定後の適応型周波数ホッピングの例を表している。接続モードにある時、他のデバイス内無線技術で作製されたＢＴレシーバによって受けた干渉は、スループット減少、またはリンク切断（ｆａｉｌｕｒｅ）を招く。このようなＩＤＣ干渉を低減するために、ＢＴデバイスは、適応型周波数ホッピング（ＡＦＨ）手順によって、ＢＴ無線と他のデバイス内無線通信間のより大きな保護周波数帯を作り出すことができる。一般的に、ＢＴデバイスがより強い干渉を受けた場合、より多くの周波数チャネルがデータ伝送から制限または拒絶される。一方、より弱い干渉を受けた場合、より少ない周波数チャネルがデータ伝送から制限または拒絶される。
【００２４】
現在のブルートゥース仕様を満たすために、周波数ホッピングセット（ｓｅｔ）は、ＴｘとＲｘの両方に対して同じ帯域幅を有さなくてはならない。よって、ＩＤＣ干渉による周波数ホッピング帯域幅の減少は、ＴｘまたはＲｘのいずれかに対して、より悪い状況の干渉機構の要因となる。しかしながら、共存干渉がＴｘとＲｘ間で異なる可能性が大きいため、ＴｘとＲｘに対する周波数ホッピング帯域幅がダイバーシチ利得を最大化するように異なる値に設定されることができれば、有益である。図７に表されるように、１つの新しい態様では、デバイス内ＢＴレシーバがより強い干渉を受けた場合、より多くの周波数チャネルは、Ｒｘのホッピング範囲から排除される。一方では、デバイス内ＢＴトランスミッタがより弱い干渉を他のデバイス内無線通信に導入した場合、より少ない周波数チャネルは、Ｔｘのホッピング範囲から排除される。
【００２５】
ＡＦＨ手順を実行するために、チャネル分類がＢＴデバイスへの指示として用いられて、他のデバイス内無線通信で用いられる周波数チャネルに近い周波数チャネルを排除することができる。例えば、特定のチャネルに対してチャネル分類を“悪い（ｂａｄ）”に設定することは、マスターブルートゥースデバイスに対して、この特定のチャネルがＡＦＨリストから排除されるべき、役立つ指示である。また、新しいチャネル分類がＩＤＣ干渉を指示するように作り出されてもよい。例えば、“醜い（ｕｇｌｙ）”と呼ばれるチャネル分類が特定のチャネルが受け入れがたいＩＤＣ干渉を有することを指示するように作られてもよい。この情報に基づいて、この特定のチャネルは、ＩＤＣ干渉を軽減するようにＡＦＨリストから除去されなければならない。
【００２６】
図８は、ＢＴの初期の接続設定後のＩＤＣ干渉軽減のための電力管理ソリューションを表している。ＡＦＨ手順を用いる他に、ＢＴデバイスは、電力制御方法を行い、ＩＤＣ干渉を更に軽減することもできる。一般的に、ＢＴデバイスが干渉を他のデバイス内無線通信に導入した場合、解決法は、デバイス内レシーバの近傍の周波数でＢＴトランスミッタの電力レベルを減少することとなる。電力レベルの減少は、いくつかの要因によって決まる。第１に、基準化因子（ｓｃａｌｉｎｇ ｆａｃｔｏｒ）は、デバイス内無線通信間の周波数距離によって決まる。第２に、基準化因子は、伝送失敗数よって決まる。第３に、基準化因子は、デバイス内無線通信間で通信の干渉測定結果によって決まる。図８に表されるように、ＩＳＭバンド端により近傍の周波数チャネルでは、電力レベルはより減少される。一方、電力レベルの減少は、周波数位置がＩＳＭバンド端から更に離れるにつれて小さくなる。また、電力レベルは、平坦な減少（チャート８１によって表された）として、または特定の周波数範囲内の傾斜した減少（チャート８２によって表される）として減少されることができる。周波数範囲と電力減少の傾斜は、ＵＥの設計に固有のパラメータ、またはデバイス内無線通信で共有されるダイナミック干渉測定によって決定されることができる。
【００２７】
図９は、１つの新しい態様に基づいたＵＥの観点からのＩＤＣ干渉防止のためのＬＴＥの伝送機会のＵＥの自動拒否方法のフローチャートである。無線ネットワークでは、無線デバイスは、同じデバイスプラットフォーム上で複数の無線を備えた多重無線端末である。無線デバイスは、複数の無線モジュールと通信し、協調する制御エンティティも有する。第１の無線モジュールは、制御エンティティから通知を受信する（ステップ９１）。前記の通知は、第１の無線モジュールと同一場所に配置された第２の無線モジュールの重要なシグナリング状態を通知する。例えば、重要なシグナリングは、初期の接続設定の手順中に伝送される問い合わせまたはページングシグナリングメッセージであることができる。通知を受けて、第１の無線モジュールは、一定時間アップリンク伝送を停止し（ステップ９２）、そのサービング基地局によって授権されたどのアップリンク伝送機会もフォローしない。選択的に、第１の無線モジュールは、共存インジケータをｅＮＢに伝送する。第２の無線モジュールがその初期の接続設定または他の重要な手順を完了した後、第１の無線モジュールは、第２の通知を受信する（ステップ９３）。第２の通知は、第２の無線モジュールの重要なシグナリングの完了状態を通知する。第２の通知を受けて、第１の無線モジュールは、アップリンク伝送を再開する（ステップ９４）。選択的に、第１の無線モジュールは、共存再開インジケータをｅＮＢに送信する。
【００２８】
図１０は、１つの新しい態様に基づいたｅＮＢの観点からのＩＤＣ干渉防止のためのＬＴＥの伝送機会のＵＥの自動拒否方法のフローチャートである。無線ネットワークでは、無線デバイスは、同じデバイスプラットフォーム上でＬＴＥ／ＷｉＭＡＸ無線およびＩＳＭバンド無線を備えた多重無線端末である。無線デバイスは、セルラー無線ネットワークアクセス用に基地局（ｅＮＢ）によってサーブされる。サービング基地局は、無線デバイスのＬＴＥ／ＷｉＭＡＸ無線モジュールから共存インジケータを受信する（ステップ１１１）。共存インジケータは、無線デバイスがアップリンクＬＴＥ／ＷｉＭＡＸ伝送を停止し、ＩＳＭバンド無線からの共存干渉により、基地局によって授権されたアップリンク伝送機会を無視（ｉｇｎｏｒｅ）することを基地局に知らせる。共存インジケータに応じて、基地局は、アップリンク測定機能を正常でない状態に構成する（ステップ１１２）。例えば、基地局は、ＨＡＲＱ再伝送カウンタを凍結またはリセットするか、またはＵＬのドライブ試験の省力化（ＭＤＴ）のロギング（ｌｏｇｇｉｎｇ）を停止することができる。基地局は、アップリンク信号品質測定の結果をスキップし、測定の結果に基づいた他の機能を触発するのを停止することができる。
【００２９】
次いで、基地局は、無線デバイスのＬＴＥ／ＷｉＭＡＸ無線モジュールから共存再開インジケータを受信する（ステップ１１３）。共存再開インジケータは、基地局に無線デバイスがアップリンクＬＴＥ／ＷｉＭＡＸ伝送を再開することを通知する。共存再開インジケータに応じて、基地局は、特定のアップリンク測定機能を正常な状態に戻すように構成する（ステップ１１４）。例えば、ステップ６１３では、基地局は、ＨＡＲＱ再伝送カウンタ、およびアップリンク信号測定の結果に基づいて、他の干渉軽減の機能を触発するのを再開する。
【００３０】
もう１つの実施形態では、ＵＥは、共存再開インジケータを伝送せず、基地局は、共存再開インジケータを受信しない。その代わりに、基地局は、特定の時間遅延の後、アップリンク測定機能を正常な状態に戻すように構成する。特定の時間遅延は、ＵＥから伝送された共存インジケータに含まれることができる。特定の時間遅延は、所定の推定値でもよい。例えば、初期のＢＴ接続設定手順が通常、約５００ｍｓを必要とする場合、基地局は、ＵＥが約５００ｍｓのアップリンク伝送を停止するものと仮定し、初期のＢＴ接続設定を共存干渉から保護する。基地局が共存インジケータを受信した後、基地局は、共存再開インジケータを受信しない５００ｍｓの後、アップリンク測定機能を正常な状態に戻すように構成する。
【００３１】
本発明は、説明の目的のためにある特定の実施形態と関連して記述されたが、本発明はこれを限定するものではない。例えば、ＬＴＥ／ＬＴＥ−ＡまたはＷｉＭＡＸ無線通信システムは、本発明を説明するために例示されているが、本発明は、同様に他の無線通信システム、例えば、時分割同期符号分割多重接続（ＴＤ−ＳＣＤＭＡ）システムなどに用いられることができる。よって、種々の変更、改造、及び上述の実施の形態の種々の特徴の組み合わせがこの請求項に記載したような本発明の範囲を逸脱せずに、行い得る。
【図１】
2013539619.tif 000003
【図２】
2013539619.tif 000004
【図３】
2013539619.tif 000005
【図４】
2013539619.tif 000006
【図５】
2013539619.tif 000007
【図６】
2013539619.tif 000008
【図７】
2013539619.tif 000009
【図８】
2013539619.tif 000010
【図９】
2013539619.tif 000011
【図１０】
2013539619.tif 000012
【国際調査報告】
2013539619.tif 000013
2013539619.tif 000014
2013539619.tif 000015